(57)【特許請求の範囲】
【請求項１】
検索語を受信し、前記検索語に基づいて推薦内容を取得するステップと、
前記検索語と前記推薦内容とに基づいて、推薦内容のタイトルを生成し、前記タイトルには前記検索語の関連情報と前記推薦内容の関連情報とが含まれるステップと、
前記推薦内容及び前記推薦内容のタイトルを表示するステップと、を含み、
前記検索語の前記関連情報は前記検索語の特徴情報であり、
前記推薦内容の前記関連情報は、前記推薦内容の共有特徴情報であり、
前記検索語と前記推薦内容とに基づいて前記推薦内容のタイトルを生成するステップは、
前記検索語の特徴情報を取得するステップと、
前記推薦内容の共有特徴情報を取得するステップと、
前記検索語の特徴情報と前記推薦内容の共有特徴情報を推薦内容のタイトルに含ませるステップと、を含み、
前記特徴情報は、前記検索語の検索意図を表す単語を含む、
ことを特徴とする検索推薦方法。
【請求項２】
前記検索語の特徴情報と前記推薦内容の共有特徴情報とを含む推薦内容のタイトルが得られない場合、予め設定された内容の推薦内容のタイトルを生成するステップを更に含む、
ことを特徴とする請求項１記載の検索推薦方法。
【請求項３】
前記推薦内容及び前記推薦内容のタイトルを表示するステップは、
前記推薦内容のタイトルに基づいて、前記推薦内容についてソートするステップと、
前記推薦内容のタイトルに応じて、前記タイトルに基いてソートされた推薦内容を表示するステップと、
を含む、
ことを特徴とする請求項１又は２記載の検索推薦方法。
【請求項４】
前記推薦内容のタイトルを生成するステップの後に、前記検索推薦方法は、
前記推薦内容のタイトルを更新するステップを更に含む、
ことを特徴とする請求項１、２又は３記載の検索推薦方法。
【請求項５】
検索語を受信し、前記検索語に基づいて推薦内容を取得する取得モジュールと、
前記検索語と前記推薦内容とに基づいて推薦内容のタイトルを生成し、前記タイトルには前記検索語の関連情報と前記推薦内容の関連情報とが含まれる生成モジュールと、
前記推薦内容及び前記推薦内容のタイトルを表示する表示モジュールと、を含み、
前記検索語の前記関連情報は前記検索語の特徴情報であり、
前記推薦内容の前記関連情報は前記推薦内容の共有特徴情報であり、
前記生成モジュールは、
前記検索語の特徴情報を取得するものであり、前記特徴情報は、前記検索語の検索意図を表す単語を含む第一ユニットと、
前記推薦内容の共有特徴情報を取得する第二ユニットと、
前記検索語の特徴情報と前記推薦内容の共有特徴情報とを推薦内容のタイトルに含ませる第三ユニットと、を含む、
ことを特徴とする検索推薦装置。
【請求項６】
前記生成モジュールは、
前記検索語の特徴情報と前記推薦内容の共有特徴情報とを含む推薦内容のタイトルが得られない場合、予め設定された内容の推薦内容のタイトルを生成する第四ユニットを更に含む、
ことを特徴とする請求項５記載の検索推薦装置。
【請求項７】
前記表示モジュールは、具体的に、
前記推薦内容のタイトルに基づいて、前記推薦内容についてソートし、
前記推薦内容のタイトルに応じて、前記タイトルに基いてソートされた推薦内容を表示する、
ことを特徴とする請求項５又は６記載の検索推薦装置。
【請求項８】
前記推薦内容のタイトルを更新する更新モジュールを更に含む、
ことを特徴とする請求項５、６又は７記載の検索推薦装置。
【請求項９】
一つ又は復数のプロセッサーと、
メモリと、
一つ又は復数のプログラムと、を含み、
前記一つ又は復数のプログラムは前記メモリに記憶され、前記一つ又は復数のプロセッサーにより実行される場合、請求項１乃至４のいずれかに記載の検索推薦方法を実行する、
ことを特徴とする電子機器。
【請求項１０】
一つ又は復数のモジュールを記憶し、前記一つ又は復数のモジュールが実行される場合、請求項１乃至４のいずれかに記載の検索推薦方法を実行する、
ことを特徴とする不揮発性コンピュータ記憶媒体。
【発明の詳細な説明】
【技術分野】
【０００１】
本発明は、インターネット技術分野に関し、特に検索推薦方法及び装置に関する。
【背景技術】
【０００２】
ユーザーが検索する際、右側に推薦内容を表示することができる。従来技術において、右側の推薦内容のタイトル（title）は固定モード又は一定となっておる。例えば、固定モードは、「関連動物」や、「関連植物」、「関連人物」等を含むが、一定のタイトルは、例えば、「他人が検索するもの」等である。
【０００３】
ユーザーが推薦内容を取得させていただく場合、なぜこのような内容を推薦させるかのニーズがあるが、従来技術ではユーザーのこれらのニーズを満たすことができない。
【発明の概要】
【発明が解決しようとする課題】
【０００４】
本発明の目的は、ある程度で従来技術における少なくとも一つの技術的課題を解決することである。
【０００５】
そのため、本発明の一つの目的は、検索推薦方法を提出することであり、当該方法はユーザーのニーズをより満たすことができる。
【０００６】
本發明のもう一つの目的は、検索推薦装置を提出することである。
【課題を解決するための手段】
【０００７】
上記の目的を達成するために、本発明第一形態の実施例によると、検索語を受信し、前記検索語に基づいて推薦内容を取得するステップと、前記検索語と前記推薦内容とに基づいて推薦内容のタイトルを生成し、前記タイトルに前記検索語の関連情報と前記推薦内容の関連情報とが含まれるステップと、前記推薦内容及び前記推薦内容のタイトルを表示するステップと、を含む検索推薦方法を提供する。
【０００８】
本発明第一形態の実施例によると、前記検索語と前記推薦内容とに基づいて推薦内容のタイトルを生成し、推薦内容のタイトルの動的な生成が実現され、固定モードを避けられ、且つ、推薦内容のタイトルに前記検索語の関連情報が含まれることにより、ユーザーにこれらの内容を推薦する理由を理解させ、ユーザーのニーズを満たし、ユーザーに推薦内容と自分が入力した検索語又は自分の検索意図との間の関係をより理解してもらう、検索推薦方法を提供する。
【０００９】
上記の目的を達成するために、本発明第二形態の実施例によると、検索語を受信し、前記検索語に基づいて推薦内容を取得する取得モジュールと、前記検索語と前記推薦内容とに基づいて推薦内容のタイトルを生成し、前記タイトルに前記検索語の関連情報と前記推薦内容の関連情報とが含まれる生成モジュールと、前記推薦内容及び前記推薦内容のタイトルを表示する表示モジュールとを含む検索推薦装置を提供する。
【００１０】
本発明第二形態の実施例によると、前記検索語と前記推薦内容とに基づいて、推薦内容のタイトルを生成し、推薦内容のタイトルの動的な生成が実現され、固定モードを避けられ、且つ、推薦内容のタイトルに前記検索語の関連情報が含まれることにより、ユーザーにこれらの内容を推薦する理由を理解してもらい、ユーザーのニーズを満たし、推薦内容と自分が入力した検索語又は自分の検索意図との間の関係をより理解してもらう、検索推薦装置を提供する。
【００１１】
本発明の実施例によると、一つ又は復数のプロセッサーと、メモリと、一つ又は復数のプログラムとを含み、前記一つ又は復数のプログラムが前記メモリに記憶し、前記一つ又は復数のプロセッサーに実行される場合、以下のように操作する電子機器を更に提供する。前記操作とは、検索語を受信し、前記検索語に基づいて推薦内容を取得する；前記検索語と前記推薦内容とに基づいて推薦内容のタイトルを生成し、前記タイトルに前記検索語の関連情報と前記推薦内容の関連情報とが含まれる；前記推薦内容及び前記推薦内容のタイトルを表示する、ことを指す。
【００１２】
本発明の実施例によると、不揮発性コンピュータ記憶媒体を更に提供し、前記コンピュータ記憶媒体は、一つ又は復数のモジュールを記憶し、前記一つ又は復数のモジュールが実行される場合以下のように操作する：検索語を受信し、前記検索語に基づいて推薦内容を取得する；前記検索語と前記推薦内容とに基づいて、推薦内容のタイトルを生成し、前記タイトルに前記検索語の関連情報と前記推薦内容の関連情報とが含まれる；前記推薦内容及び前記推薦内容のタイトルを表示する。
【００１３】
本発明の付加的な特徴又は利点については以下の説明に一部が与えられ、その一部は以下の説明から明らかになり、理解されることが容易になる。
【図面の簡単な説明】
【００１４】
本発明の上述および／または付加的な特徴と利点は、下記の添付図面を参照した実施形態に対する説明により、明らかになり、理解されることが容易になる。
【図１】本発明の一つの実施例により提出された検索推薦方法のフローチャート模式図である。
【図２】本発明の実施例における推薦内容のタイトルを生成する一種の方式のフローチャート模式図である。
【図３】一種の検索語に対応する従来技術における推薦内容のタイトルの模式図である。
【図４】一種の検索語に対応する本発明実施例において生成された推薦内容のタイトルの模式図である。
【図５】もう一つの種の検索語に対応する従来技術における推薦内容のタイトルの模式図である。
【図６】もう一つの種の検索語に対応する本発明実施例において生成された推薦内容のタイトルの模式図である。
【図７】もう一つの種の検索語に対応する従来技術における推薦内容のタイトルの模式図である。
【図８】もう一つの種の検索語に対応する本発明実施例において生成された推薦内容のタイトルの模式図である。
【図９】本発明の実施例において生成された推薦内容のタイトルのもう一つの方式のフローチャート模式図である。
【図１０】本発明の実施例において生成された推薦内容のタイトルのもう一つの方式のフローチャート模式図である。
【図１１】本発明のもう一つの実施例により提供された検索推薦装置の構造模式図である。
【図１２】本発明のもう一つの実施例により提供された検索推薦装置の構造模式図である。
【図１３】本発明のもう一つの実施例により提供された検索推薦装置の構造模式図である。
【発明を実施するための形態】
【００１５】
以下に、本発明の実施形態を詳細に説明する。前記実施形態の例が図面に示されるが、同一または類似する符号は、常に、相同又は類似の部品、或いは、相同又は類似の機能を有する部品を表す。以下に、図面を参照しながら説明される実施形態は例示的なものであり、本発明を解釈するためだけに用いられ、本発明を限定するものと理解されてはならない。それに反して、本発明の実施例は、付加的な特許請求の精神及び内在範囲に入れる全ての変化、修正及び同等物を含む。
【００１６】
図１は本発明の一つの実施例により提出された検索推薦方法のフローチャート模式図であり、当該方法は、以下のようなステップを含む。
【００１７】
Ｓ１１、検索語を受信し、前記検索語に基づいて推薦内容を取得する。
【００１８】
検索エンジンはユーザーが検索欄に入力した検索語（query）を受信することができ、検索語とは照会語又は検索ワード等とも呼ばれる。
【００１９】
検索エンジンは、検索語が受信された後、検索語に基づいて対応する検索結果を取得することができ、検索語に基づいて関連付ける推薦内容を取得することもできる。
【００２０】
推薦内容を取得する際、例えば、予め設定されたアルゴリズムに基づいてデータベースにおける内容を評価し、評価結果に基づいてたくさんのデータから推薦内容を取得する。
【００２１】
Ｓ１２：前記検索語と前記推薦内容とに基づいて、推薦内容のタイトルを生成し、前記タイトルに前記検索語の関連情報と前記推薦内容の関連情報とが含まれる。
【００２２】
従来技術と違って、本実施例において、推薦内容のタイトル（title)は検索語と推薦内容に基づいて生成されるもので、検索語及び/又は推薦内容は変わられるもので、推薦内容のタイトルも変化可能で、推薦内容の動的な生成が実現される。たとえ、推薦内容が同一であっても、検索語が異なる場合は、異なる推薦内容のタイトルを生成することができる。
【００２３】
好ましくは、前記検索語の前記関連情報は前記検索語の特徴情報であり、前記推薦内容の前記関連情報は前記推薦内容の共有特徴情報である。図２を参照し、前記検索語と前記推薦内容とに基づいて、推薦内容のタイトルを生成するステップは、以下のようなステップを含む。
【００２４】
Ｓ２１、前記検索語の特徴情報を取得し、前記特徴情報は、前記検索語におけるキーワード、又は、前記検索語の検索意図を表す単語を含む。
【００２５】
Ｓ２２、前記推薦内容の共有特徴情報を取得する。
【００２６】
Ｓ２３、前記検索語の特徴情報と前記推薦内容の共有特徴情報とを推薦内容のタイトルに含ませる。
【００２７】
例えば、検索語が「俊介」である場合、図３を参照し、図３は従来技術における推薦内容の表示模式図であり、図３に示すように、推薦内容のタイトルは、「関連哺乳動物」や、「他人が検索するもの」等ような一定的なタイトルだけである。
【００２８】
本実施例において、推薦内容のタイトルは、検索語と推薦内容とに基づいて動的に生成されるものである。
【００２９】
例えば、図４を参照し、推薦内容のタイトル３１は、具体的に、「俊介のような小柄で可愛い萌えペット」及び「周知されているスターのペット」を含む。
【００３０】
「俊介のような小柄で可愛い萌えペット」に含まれている検索語である「俊介」と「萌えペット」と「小柄で可愛い」とは、推薦内容の共有特徴である。
【００３１】
また、システムは、「俊介」がネットワーク上で非常に人気がある萌えペットの名前だと理解され、ユーザーがネットワーク上で萌えペットを検索する意図が反映され、従って、タイトルである「周知されているスターのペット」には、ユーザーの検索意図である「周知されている」と、共有特徴情報である「萌えペット」とが含まれることができる。
【００３２】
また、例えば、検索語が「新改装のリビングにどんな植物を置けばいい」である場合、図５を参照し、図５は従来技術における推薦内容の表示模式図であり、図５に示すように、推薦内容のタイトルはただ「関連植物」や、「他人が検索するもの」のような一定的なタイトルである。
【００３３】
しかし、本実施例において、図６を参照し、推薦内容のタイトル４１は検索語と推薦内容とに基づいて動的に生成されるものである。
【００３４】
また、例えば、検索語が「薄皇后」である場合、図７を参照し、図７は従来技術における推薦内容の表示模式図であり、図７に示すように、推薦内容のタイトルはただ「関連人物」や、「他人が検索するもの」のような一定的なタイトルだけである。
【００３５】
しかし、本実施例において、図８を参照し、推薦内容のタイトル５１は検索語と推薦内容とに基づいて動的に生成されるものである。
【００３６】
好ましくは、上記各種の検索をした場合、前記検索語の特徴情報と前記推薦内容の共有特徴情報とが推薦内容のタイトルに含まれるステップは、以下のようなステップを含む。
【００３７】
ネット流行語の形で、前記検索語の特徴情報と前記推薦内容の共有特徴情報とを、推薦内容のタイトルに含ませる。
【００３８】
例えば、図８を参照し、推薦内容のタイトルに含まれている「漢朝ハーレムのあの女達」は、ネット流行語の形で表現するものである。
【００３９】
好ましくは、図９を参照し、推薦内容のタイトルを生成する際、以下のようなステップを更に含む。
【００４０】
Ｓ２４、前記検索語の特徴情報と前記推薦内容の共有特徴情報とを含む推薦内容のタイトルを得られない場合、予め設定された内容の推薦内容のタイトルを生成する。
【００４１】
例えば、図４の検索を例とし、図４に示すタイトルを得られない場合、「より良い推薦」等のタイトルを生成する。
【００４２】
好ましくは、図１０を参照し、推薦内容のタイトルを生成した後、以下のようなステップを更に含むことができる。
【００４３】
Ｓ２５、前記推薦内容のタイトルを更新する。
【００４４】
例えば、予め設定された周期に基づいて定期的に推薦内容のタイトルを更新し、又は、トリガー・イベントを予め設定し、トリガー・イベントが発生される場合、推薦内容のタイトルを更新する。
【００４５】
Ｓ１３、前記推薦内容及び前記推薦内容のタイトルを表示する。
【００４６】
推薦内容のタイトルを生成した後、推薦内容と推薦内容のタイトルを対応的に表示することができる。
【００４７】
好ましくは、前記推薦内容及び前記推薦内容のタイトルを表示するステップは、以下のようなステップを含む。
【００４８】
前記推薦内容のタイトルに基づいて、前記推薦内容についてソートする。
【００４９】
前記推薦内容のタイトルに応じ、前記タイトルに基いてソートされた推薦内容を表示する。
【００５０】
例えば、表示空間に限定され、毎回表示される推薦内容の数は少なく、例えば、一つのタイトルに対して、通常毎回４つの推薦内容しか表示することができないので、得られた推薦内容のランキングに基づき、前位にソートされた推薦内容を優先に表示する。
【００５１】
本実施例において、推薦内容についてソートする時にタイトルの内容を組み合わせ、タイトルとの関連性が高いものを前にランキングすることで、推薦内容の最適化を実現する。推薦内容はカードの形で表示する場合、カードレベル全体最適化の方式でカードにソートすることが実現される。
【００５２】
具体的には、例えば、人物を検索する際、関連人物の推薦内容を取得することができ、推薦内容を取得した後、その中から共有特性情報を有する推薦内容を選択し、更に共有特徴情報に基づいてタイトルを生成し、その後、当該タイトルに対応してこれらの共有特徴を有する推薦内容を優先に表示することができる。
【００５３】
例えば、図８を参照し、タイトルが「歴史上の伝説的な皇后」である場合、対応的な推薦内容は皇后であり、これは図７の関連人物について最適化した内容である。
【００５４】
本実施例において、前記検索語と前記推薦内容とに基づいて、推薦内容のタイトルを生成し、推薦内容のタイトルの動的な生成が実現され、固定モードを防止し、且つ推薦内容のタイトルに前記検索語の関連情報が含まれることにより、これらの内容を推薦する理由をユーザーに理解してもらうことができ、ユーザーのニーズを満たすことで、推薦内容と自分が入力の検索語又は自分の検索意図との間の関係をユーザーにより理解してもらうことができる。また、タイトル最適化により内容を推薦することで、より適切な内容を推薦することができる；検索語と推薦内容とを分析することによりタイトルを取得することにより、分類の間違いを防止し、ユーザーの体験を向上することができる；タイトルを更新することにより、無味乾燥なものを下げ、知覚疲労を避け、ユーザーに対する魅力度を向上する；推薦内容を対応的なタイトルに割り当てることにより、「他人が検索するもの」におけるなんでも揃っている内容に対して、内容の混乱を避けられる。
【００５５】
図１１は本発明のもう一つの実施例により提出された検索推薦装置の構造模式図であり、当該装置８０は、取得モジュール８１と、生成モジュール８２と、表示モジュール８３と、を含む。
【００５６】
取得モジュール８１は、検索語を受信し、前記検索語に基づいて推薦内容を取得することに用いる。
【００５７】
検索エンジンは、ユーザーが検索欄に入力した検索語（query）を受信することができ、検索語は照会語又は検索ワード等とも呼ばれる。
【００５８】
検索エンジンは、検索語を受信した後、検索語に基づいて対応的な検索結果を取得することができるが、検索語に基づいて関連付ける推薦内容を取得することもできる。
【００５９】
推薦内容を取得する場合、例えば、予め設定されたアルゴリズムに基づいてデータベースにおける内容を評価し、評価結果に基づいてたくさんのデータから推薦内容を取得する。
【００６０】
生成モジュール８２は、前記検索語と前記推薦内容とに基づいて、推薦内容のタイトルを生成し、前記タイトルに前記検索語の関連情報と前記推薦内容の関連情報とが含まれる。
【００６１】
従来技術と違って、本実施例において、推薦内容のタイトルは検索語と推薦内容に基づいて生成され、検索語及び/又は推薦内容は変わられるもので、推薦内容のタイトルも変わられ、これにより、推薦内容の動的な生成が実現される。たとえ推薦内容が同一であっても、検索語が異なるなら、異なる推薦内容のタイトルを生成することができる。
【００６２】
好ましくは、図１２を参照し、前記検索語の前記関連情報は前記検索語の特徴情報であり、前記推薦内容の前記関連情報は前記推薦内容の共有特徴情報であり、前記生成モジュール８２は、以下ようなユニットを含む。
【００６３】
第一ユニット８２１であって、前記第一ユニット８２１は、前記検索語の特徴情報を取得するものであり、前記特徴情報は、前記検索語のキーワード、又は、前記検索語の検索意図を表す単語を含む。
【００６４】
第二ユニット８２２であって、前記第二ユニット８２２は、前記推薦内容の共有特徴情報を取得するためのものである。
【００６５】
第三ユニット８２３であって、前記検索語の特徴情報と前記推薦内容の共有特徴情報とを推薦内容のタイトルに含ませるためのものである。
【００６６】
例えば、検索語が「俊介」である場合、図３を参照し、図３は従来技術における推薦内容の表示模式図であり、図３に示すように、推薦内容のタイトルは、「関連哺乳動物」や「他人が検索するもの」等ような一定的なタイトルだけである。
【００６７】
本実施例において、推薦内容のタイトルは検索語と推薦内容とに基づいて動的に生成される。
【００６８】
例えば、図４を参照し、推薦内容のタイトル３１は、具体的に、「俊介のような小柄で可愛い萌えペット」及び「周知されているスターのペット」を含む。
【００６９】
「俊介のような小柄で可愛い萌えペット」に含まれている検索語である「俊介」や「萌えペット」、「小柄で可愛い」は、推薦内容の共有特徴である。
【００７０】
また、システムは「俊介」がネットワーク上で非常に人気がある萌えペットの名前だと理解され、ユーザーがネットワーク上で萌えペットを検索する意図が反映され、従って、タイトルである「周知されているスターのペット」には、ユーザーの検索意図である「周知されている」と、共有特徴情報である「萌えペット」とが含まれることができる。
【００７１】
また、例えば、検索語が「新改装のリビングにどんな植物を置けばいい」である場合、図５を参照し、従来技術における推薦内容の表示模式図であり、図５に示すように、推薦内容のタイトルはただ「関連植物」や、「他人が検索するもの」のような一定的なタイトルである。
【００７２】
しかし、本実施例において、図６を参照し、推薦内容のタイトル４１は検索語と推薦内容とに基づいて動的に生成されるものである。
【００７３】
また、例えば、検索語が「薄皇后」である場合、図７を参照し、図７は従来技術における推薦内容の表示模式図であり、図７に示すように、推薦内容のタイトルはただ「関連人物」や、「他人が検索するもの」のような一定的なタイトルである。
【００７４】
しかし、本実施例において、図８を参照し、推薦内容のタイトル５１は検索語と推薦内容とに基づいて動的に生成されるものである。
【００７５】
好ましくは、前記第三ユニット８２３は、具体的に、以下のように用いられる。
【００７６】
ネット流行語の形で、前記検索語の特徴情報と前記推薦内容の共有特徴情報とを推薦内容のタイトルに含ませる。
【００７７】
例えば、図８を参照し、推薦内容のタイトルに含まれている「漢朝ハーレムのあの女達」は、ネット流行語の形で表現するものである。
【００７８】
好ましてくは、図１３を参照し、前記生成モジュール８２は、第四ユニット８２４を更に含む。
【００７９】
前記第四ユニット８２４は、前記検索語の特徴情報と前記推薦内容の共有特徴情報とを含む推薦内容のタイトルを得られない場合、予め設定された内容の推薦内容のタイトルを生成することである。
【００８０】
例えば、図４の検索を例とし、図４に示すタイトルを得られない場合、「より良い推薦」等のタイトルを生成する。
【００８１】
好ましくは、図１２を参照し、前記生成モジュール８２は、以下のようなモジュールを更に含むことができる。
【００８２】
更新モジュール８２５は、前記推薦内容のタイトルを更新することに用いる。
【００８３】
例えば、予め設定された周期に基づいて定期的に推薦内容のタイトルを更新し、又は、トリガー・イベントを予め設定し、トリガー・イベントが発生される場合、推薦内容のタイトルを更新する。
【００８４】
表示モジュール８３は、前記推薦内容及び前記推薦内容のタイトルを表示することに用いる。
【００８５】
推薦内容のタイトルを生成した後、推薦内容と推薦内容のタイトルを対応的に表示することができる。
【００８６】
好ましくは、前記表示モジュール８３は、具体的に、前記推薦内容のタイトルに基づいて、前記推薦内容についてソートし、また、前記推薦内容のタイトルに応じ、前記タイトルに基いてソートされた推薦内容を表示する。
【００８７】
例えば、表示空間に限定され、毎回表示される推薦内容の数は少なく、例えば、一つのタイトルに対して、通常毎回４つの推薦内容しか表示することができないので、得られた推薦内容のランキングに基づき、前位にソートされた推薦内容を優先に表示する。
【００８８】
本実施例において、推薦内容についてソートする時にタイトルの内容を組み合わせ、タイトルとの関連性が高いものを前にランキングし、推薦内容の最適化を実現する。推薦内容はカードの形で表示する場合、カードレベル全体最適化の方式でカードにソートすることが実現される。
【００８９】
具体的には、例えば、人物を検索する際、関連人物の推薦内容を取得することができ、推薦内容を取得した後、その中から共有特性情報を有する推薦内容を選択し、更に共有特徴情報に基づいてタイトルを生成し、当該タイトルに対応してこれらの共有特徴を有する推薦内容を優先に表示することができる。
【００９０】
例えば、図８を参照し、タイトルが「歴史上の伝説的な皇后」である場合、対応的な推薦内容は皇后であり、これは図７の関連人物について最適化した内容である。
【００９１】
本実施例において、前記検索語と前記推薦内容とに基づいて、推薦内容のタイトルを生成し、推薦内容のタイトルの動的な生成が実現され、固定モードを防止し、且つ推薦内容のタイトルに前記検索語の関連情報が含まれることにより、これらの内容を推薦する理由をユーザーに理解してもらうことができ、ユーザーのニーズを満たすことで、推薦内容と自分が入力の検索語又は自分の検索意図との間の関係をユーザーにより理解してもらうことができる。また、タイトル最適化により内容を推薦することにより、より適切な内容を推薦することができる；検索語と推薦内容とを分析することによりタイトルを取得することにより、分類の間違いを防止し、ユーザーの体験を向上することができる；タイトルを更新することにより、無味乾燥なものを下げ、知覚疲労を避け、ユーザーに対する魅力度を向上する；推薦内容を対応的なタイトルに割り当てることにより、「他人が検索するもの」におけるなんでも揃っている内容に対して、内容の混乱を避けられる。
【００９２】
本発明は電子機器を更に提供し、前記電子機器は、一つ又は復数のプロセッサーと、メモリと、一つ又は復数のプログラムとを含み、前記一つ又は復数のプログラムが前記メモリに記憶され、前記一つ又は復数のプロセッサーに実行される場合、検索語を受信し、前記検索語に基づいて推薦内容を取得するステップと、前記検索語と前記推薦内容とに基づいて推薦内容のタイトルを生成し、前記タイトルに前記検索語の関連情報と前記推薦内容の関連情報とが含まれるステップと、前記推薦内容及び前記推薦内容のタイトルを表示するステップと、を実行する。
【００９３】
本発明の実施例は更に不発揮性のコンピュータ記憶媒体を提供し、前記コンピュータ記憶媒体は、一つ又は復数のモジュールを有し、前記一つ又は復数のモジュールが実行される場合、検索語を受信し、前記検索語に基づいて推薦内容を取得するステップと、前記検索語と前記推薦内容とに基づいて、推薦内容のタイトルを生成し、前記タイトルには前記検索語の関連情報と前記推薦内容の関連情報とが含まれるステップと、前記推薦内容及び前記推薦内容のタイトルを表示するステップと、を実行する。
【００９４】
なお、本発明の説明において、「第一」、「第二」との用語はただし説明の目的のためであり、相対的な重要性を指示又は暗示すると理解してはいけない。また、本発明の説明で、特に明確で具体的に限定されない限り、「複数」との意味は少なくとも二つである。
【００９５】
フローチャートに又はここにおいて他の形で説明されたいずれかの過程又は方法説明は、一つ又は複数の特定の論理機能又はプロセスのステップを実現する実行可能な指令のコードのモジュール、断片又は一部をを含むことを示すと、理解すればよい。且つ、本発明の最適な実施形態の範囲は、他の実現を含む。ここにおいて、係る機能により基本的に同時の方式又は相反の順位を含む、示され又は検討された順位によらず機能を実行することができることは、当業者に理解されるべきである。
【００９６】
本発明の各部分は、ハードウェア、ソフトウェア、ファームウェア又はこれらの組み合わせで実現することができると理解されるべきである。上記の実施形態において、複数のステップ又は方法は、メモリに記憶されかつ適切な指令実行システムにより実行されたソフトウェア又はファームウェアで実現することができる。例えば、ハードウェアで実現するれば、他の実施形態のと同じ、当分野における、以下の公知の技術のいずれか又はこれらの組み合わせで実現することができる：データ信号に対して論理機能を実現する論理ゲート回路を有するディスクリート論理回路、適切な組み合わせ論理ゲート回路を有する特定用途向け集積回路、プログラマ・ブルゲートアレイ（PGA）、フィールド・プログラマ・ブルゲートアレイ（FPGA）等。
【００９７】
当業者は、上記実施例の方法に携帯された全部又は一部のステップは、アプリケーション・プログラムにより関連付けられるハードウェアの完成を指令することができる。前記アプリケーション・プログラムはコンピュータの読み取り可能な記憶媒体に記憶することができ、当該アプリケーション・プログラムが実行された時、方法実施例のステップの一つ又はその組み合わせを含む。
【００９８】
なお、本発明の各実施例における各機能ユニットは一つの処理モジュールに集めてもいいが、それぞれ各ユニットにおける単独な物理存在であってもよく、更に二つ又は二つ以上のユニットが一つのモジュールに集めてもいい。上記集めたモジュールは、ハードウェアの形で実現してよく、ソフトウェア機能モジュールの形で実現しても良い。前記集めたモジュールは、ソフトウェア機能モジュールの形で実現して独立な製品として販売又は使用された際、コンピュータの読み取り可能な記憶媒体に記憶することもできる。
【００９９】
上記言及した記憶媒体は、リードオンリメモリ装置（ROM）や、磁気ディスクまたは光ディスク等だけであってもいい。
【０１００】
本発明の説明において、「一つの実施例」、「一部の実施例」、「例示的な実施形態」、「示例」、「具体的な示例」、或いは「一部の示例」などの用語を参考した説明とは、該実施形態或いは示例に結合して説明された具体的な特徴、構成、材料或いは特徴が、本発明の少なくとも一つの実施形態或いは示例に含まれることである。本明細書において、上記用語に対する例示的な描写は、必ずしも同じ実施形態或いは示例を示すことではない。又、説明された具体的な特徴、構成、材料或いは特徴は、いずれか一つ或いは複数の実施形態又は示例において適切に結合することができる。
【０１０１】
以上、本発明の実施例を示して説明したが、上記実施例は例示的なもので、本発明を限定するものであると理解してはいけない。当業者は、本発明の範囲内で、上記実施例に対して各種の変化、修正、切り替え及び変形を行うことができる。
【図１】
0006400178.tif 000002
【図２】
0006400178.tif 000003
【図３】
0006400178.tif 000004
【図４】
0006400178.tif 000005
【図５】
0006400178.tif 000006
【図６】
0006400178.tif 000007
【図７】
0006400178.tif 000008
【図８】
0006400178.tif 000009
【図９】
0006400178.tif 000010
【図１０】
0006400178.tif 000011
【図１１】
0006400178.tif 000012
【図１２】
0006400178.tif 000013
【図１３】
0006400178.tif 000014